(57)【要約】【課題】小型化、高輝度化することができる発光素子を用いた歯科用ハンドピースの照明装置を提供する。【解決手段】光を前方に照射する発光素子１０の周囲に、発光素子１０からの前方以外の方向の光を前方に向けて反射する反射面２０ａ，２０ｂを備える。【選択図】  図１
2004267437.tif 000002
【特許請求の範囲】
【請求項１】
光を前方に照射する発光素子の周囲に、上記発光素子からの前方以外の方向の光を前方に向けて反射する反射面を備えたことを特徴とする、歯科用ハンドピースの照明装置。
【請求項２】
上記反射面は、上記発光素子の少なくとも側面に対向する部分に形成されたことを特徴とする、請求項１記載の歯科用ハンドピースの照明装置。
【請求項３】
上記発光素子は、発光ダイオード又は半導体レーザであることを特徴とする、請求項１又は２記載の歯科用ハンドピースの照明装置。
【請求項４】
上記発光素子は、ベアチップであることを特徴とする、請求項１、２又は３記載の歯科用ハンドピースの照明装置。
【請求項５】
上記ベアチップがワイヤレスボンディングにより基板に実装されたことを特徴とする、請求項４記載の歯科用ハンドピースの照明装置。
【請求項６】
上記反射面が単一の面からなることを特徴とする、請求項１乃至５のいずれか一つに記載の歯科用ハンドピースの照明装置。
【請求項７】
上記反射面の前方にレンズ又はライトガイドを備えたことを特徴とする、請求項１乃至６のいずれか一つに記載の歯科用ハンドピースの照明装置。
【請求項８】
複数の上記発光素子を備え、上記発光素子を２以上に分けたグループごとに、それぞれ上記反射面を備えたことを特徴とする、請求項１乃至５のいずれか一つに記載の歯科用ハンドピースの照明装置。
【請求項９】
上記反射面ごとに、その前方にレンズ又はライトガイドを備えたことを特徴とする、請求項８記載の歯科用ハンドピースの照明装置。
【請求項１０】
複数の凹部を有する基板を備え、
上記凹部の底部に上記発光素子が配置され、
上記凹部の内面が上記反射面であることを特徴とする、請求項８又は９記載の歯科用ハンドピースの照明装置。
【請求項１１】
上記照明装置は、上記歯科用ハンドピースの先端部に配置され、その一部が上記歯科用ハンドピースの外部に露出することを特徴とする、請求項１乃至１０のいずれか一つに記載の歯科用ハンドピースの照明装置。
【請求項１２】
上記発光素子を冷却する冷却手段を備えたことを特徴とする、請求項１乃至１１のいずれか一つに記載の歯科用ハンドピースの照明装置。
【請求項１３】
上記反射面は、上記歯科用ハンドピースの筐体に形成されたことを特徴とする、請求項１乃至１２のいずれか一つに記載の歯科用ハンドピースの照明装置。
【請求項１４】
上記照明装置は、上記歯科用ハンドピースから着脱可能であることを特徴とする、請求項１乃至１３のいずれか一つに記載の歯科用ハンドピースの照明装置。
【請求項１５】
請求項１乃至１４のいずれか一つに記載された歯科用ハンドピースの照明装置を備えたことを特徴とする、歯科用ハンドピース。
【発明の詳細な説明】
【０００１】
【発明の属する技術分野】
本発明は、歯科用ハンドピースの照明装置に関する。さらに、本発明は、歯科用ハンドピースの照明のための利用にとどまらず、歯科用ハンドピースに組み込んだ、歯の蛍光観察用の励起光の光源または歯の反射光観察用の光源として用いられる照明装置に関する。
【０００２】
【従来の技術】
従来、歯科用ハンドピースの照明装置の光源には、ハロゲンランプ等が一般に用いらているが、近年、発光素子を用いることが提案されている。
【０００３】
例えば、特開平１０−３３７２９２号公報には、発光ダイオード（ＬＥＤ）をタービンヘッドに備えた歯科用ハンドピースが開示されている。また、歯の、齲触を生じた齲触部や、歯石を生じた歯石部に励起光を照射すれば、特有の蛍光を発することが知られており、例えば、励起光を照射し、専用のフィルターを通して蛍光を観察する装置が知られている。また、歯の、齲触を生じた齲触部や、歯石を生じた歯石部に光を照射して、特有の反射光を、専用のフィルターを通して観察する装置も知られており、これらは特開平５−３３７１４２号公報にも開示されている。
【０００４】
【発明が解決しようとする課題】
しかし、従来提案されている歯科用ハンドピースは、汎用的のＬＥＤデバイスを単に転用したにすぎず、口腔内で使用する歯科用ハンドピースとして十分な光量を得るには、大出力の大きいＬＥＤデバイスを用いたり、ＬＥＤデバイスの個数を増やしたりすることが必要となる。その場合、歯科用ハンドピースが大型化するため、実用的でない。
【０００５】
したがって、本発明が解決しようとする技術的課題は、小型化、高輝度化することができる発光素子を用いた歯科用ハンドピースの照明装置を提供することである。この小型化、高輝度化の技術的課題は、前述の、齲触部や歯石部を、蛍光または反射光により観察するため、励起光等を照射する光源についてもあてはまることはもちろんである。
【０００６】
【課題を解決するための手段】
本発明は、上記技術的課題を解決するために、以下の構成の歯科用ハンドピースの照明装置を提供する。
【０００７】
歯科用ハンドピースの照明装置は、光を前方に照射する発光素子の周囲に、上記発光素子からの前方以外の方向の光を前方に向けて反射する反射面を備える。
【０００８】
上記構成によれば、従来は利用されていなかった発光素子からの前方以外の光を、前方への光とともに用いることで、発光素子からの光をできるだけ有効に利用し、光量の増加を図ることができる。
【０００９】
したがって、発光素子を用いた歯科用ハンドピースの照明装置を、小型化、高輝度化することができる。
【００１０】
具体的には、以下のように種々の態様で構成することができる。
【００１１】
好ましくは、上記反射面は、上記発光素子の少なくとも側面に対向する部分に形成される。
【００１２】
上記構成によれば、発光素子からの少なくとも側方への光を反射して所望の照射方向に集め、光量の増加を図ることができる。
【００１３】
なお、反射面は、発光素子の側面のみならず、発光素子の後面に対向する部分にも形成してもよい。この場合、発光素子の後面を反射面から離し、反射光が発光素子で遮られることをできるだけ避けるようにすることが好ましい。
【００１４】
好ましくは、上記発光素子は、発光ダイオード又は半導体レーザである。
【００１５】
上記構成によれば、発光ダイオードは、前方以外に放射される光が比較的多いので、光量増加の効果が高い。半導体レーザでもある程度の広がりをもって発光するので、前方へ反射することで光量の増加を図ることができる。
【００１６】
好ましくは、上記発光素子は、ベアチップである。
【００１７】
上記構成において、ウエハから切り出した裸の状態のベアチップは、ケース内にチップが収納されたデバイスや、他の回路要素などとともにチップが基板上に配置されたモジュールなどと比べて小さいので、照射装置の小型化、高輝度化が容易である。
【００１８】
なお、個々に分離したベアチップを用いても、集積ウエハーとして複数のベアチップが密集されたものを用いてもよい。後者は、コンパクトで高輝度である上、配線箇所が少なくてすむ。
【００１９】
好ましくは、上記ベアチップがワイヤレスボンディングにより基板に実装される。
【００２０】
上記構成において、例えば、ベアチップの電極と基板のリードとを接着接合する。ワイヤを用いるワイヤボンディングでは、オートクレーブ時に温度係数の差異により破壊が相対的に生じやすいが、ベアチップを基板に直接接続するワイヤレスボンディングでは、そのような破壊が相対的に生じにくい。
【００２１】
好ましくは、一つの上記反射面を備える。すなわち、上記反射面は単一の面からなる。
【００２２】
上記構成は、反射面が複数の場合と比べ、比較的簡単である。
【００２３】
好ましくは、上記反射面の前方にレンズ又はライトガイドを備える。
【００２４】
上記構成によれば、レンズ又はライトガイドによって、広がっている照射光を略一点に収束させたり、平行光とすることにより、集光性を高めることができる。
【００２５】
好ましくは、複数の上記発光素子を備える。上記発光素子を２以上に分けたグループごとに、それぞれ上記反射面を備える。
【００２６】
上記構成によれば、反射面は複数であり、１又は２以上の発光素子からなるグループごとに反射面を備える。反射面を発光素子に接近して配置することができるので、発光素子からの光を反射面で効率よく反射させ、光量の増加を図ることが容易である。
【００２７】
好ましくは、上記反射面ごとに、その前方にレンズ又はライトガイドを備える。
【００２８】
上記構成によれば、発光素子のグループごとに集光性を高め、効率よく照明することができる。
【００２９】
好ましくは、複数の凹部を有する基板を備える。上記凹部の底部に、上記発光素子が配置される。上記凹部の内面が、上記反射面である。
【００３０】
上記構成によれば、基板上に発光素子を高密度に集積することができ、基板からは、凹部の反射面により広がりが小さい光が出射される。したがって、歯科用ハンドピースの照明装置を小型化することが容易である。
【００３１】
好ましくは、上記照明装置は、上記歯科用ハンドピースの先端部に配置される。その一部が、上記歯科用ハンドピースの外部に露出する。
【００３２】
上記構成において、照明装置を歯科用ハンドピースの先端部に配置すれば、光を先端部まで伝達する機構が不要である。また、照明装置は、光の伝達損を見込んで容量を大きくする必要がない。したがって、歯科用ハンドピースを小型化することが容易である。
【００３３】
好ましくは、上記発光素子を冷却する冷却手段を備える。
【００３４】
上記構成によれば、発光素子を冷却することで、発光素子の発熱による問題が生じないようにすることができる。例えば、歯科用ハンドピースを持つための把持部や、口腔内に挿入される部分などが高温にならないようにすることができる。
【００３５】
好ましくは、上記反射面は、上記歯科用ハンドピースの照明装置を収める筐体に形成される。
【００３６】
上記構成によれば、反射面を有する別部材を配置するよりも、小型化が容易である。また、反射面での発熱を歯科用ハンドピースの筐体を経由して放熱させることも可能である。
【００３７】
好ましくは、上記照明装置は、上記歯科用ハンドピースから着脱可能である。
【００３８】
上記構成によれば、オートクレーブ時に、歯科用ハンドピースから照明装置を分離することができ、便利である。
【００３９】
なお、本発明は、別の観点から見ると、上記各構成の歯科用ハンドピースの照明装置を備えた歯科用ハンドピースを、提供する。
【００４０】
【発明の実施の形態】
以下、本発明の実施形態について実施例を図１〜図２６に基づいて説明する。
【００４１】
まず、照明装置について、図１〜図１５を参照しながら説明する。
【００４２】
図１は、第１実施形態の照明装置５０を示す。照明装置５０は、大略、発光素子１０と基板２０とを備える。基板２０には凹部２０ｘが形成され、凹部２０の底面２０ａに、発光素子１０が配置される。
【００４３】
基板２０には、例えばセラミック、ガラスエポキシ基板を用い、凹部２０ｘは、例えば切削や型で成形後、焼結することにより形成する。発光素子１０は、例えば発光ダイオード（ＬＥＤ）のベアチップであり、図１（ｂ）に示すように、固定剤、例えば銀ペースト１０ｘにより固定される。発光素子１０は、ワイヤ１０ａ，１０ｂにより、基板１０の配線パターン（図示せず）に接続され、電圧が印加されると発光するようになっている。発光素子１０及びワイヤ１０ａ，１０ｂは、必要に応じて、樹脂モールド２０ｋにより保護する。また、樹脂モールド２０ｋにより、光量増加の効果もある。樹脂モールド２０ｋには、例えば、シリコン樹脂やエポキシ樹脂、あるいは複数種類を適宜に組み合わせた樹脂を用いることができる。
【００４４】
凹部２０ｘの底面２０ａ及び側面２０ｂは、反射率が高くなるように形成され、発光素子１０の側方（図では左右）又は後方（図では下方）への光を前方（図では上方）に効率よく反射するようになっている。図１５（ａ）に示した基板２０の凹部２０ｘに発光素子１０を固定する場合の方が、図１５（ｂ）に示した基板２０の平面２０ｓに発光素子１０を固定する場合に比べ、より多くの光を発光素子１０の前方（図では上方）に集めることができる。
【００４５】
なお、基板２０には、ガラスエポキシ基板、セラミック基板、アルミナ基板、金属に絶縁コートされた基板などを用いることができ、凹部２０ｘは基板２０の種類に応じて、適宜な方法で形成することができる。また、発光素子１０には、半導体レーザや有機ＥＬ（エレクトロルミネセンス）などのベアチップを用いることも可能である。基板２０は、発光素子１０の熱を逃がしやすい材料を用いることが好ましい。特に、後述の、齲触部や歯石部の蛍光または反射光を観察するための励起光等の光源として利用する場合は、励起光等として４８０ｎｍ近辺の波長の光を用いることが多いので、その場合、発光素子に青色ＬＥＤを使用することが好適である。
【００４６】
図２は、第２実施例の照明装置５１を示す。照明装置５１は、透明な固定剤、例えばクリアペースト１０ｙにより、基板１０の凹部２０ｘの底面２０ａから発光素子１０を浮かして固定している。他の構成は、図１の照明装置５０と同様である。照明装置５１では、発光素子１０から後方への光の多くは、底面２０ａで前方に向けて反射されので、発光素子１０の前方への光量は、図１の照明装置５０よりも増加し、集光性を高めることができる。
【００４７】
図３は、第３実施例の照明装置５２を示す。照明装置５２は、集光性を高めるために、ボールレンズ３０を備えている。ボールレンズ３０は、凹部２０ｘに充填した透明な固定剤、例えば、エポキシ樹脂やシリコン樹脂、複数種類を適宜に組み合わせた樹脂などの樹脂モールドにより、凹部２０ｘに固定する。ボールレンズ３０は方向性がないので、凹部２０ｘや発光素子１０に対して高精度に位置決めすることが、容易である。
【００４８】
図３の照明装置５２では、基板２０に複数の凹部２０ｘを設け、それぞれに発光素子１０を配置しているが、凹部２０ｘと発光素子１０が１組だけであってもよい。また、発光素子１０に接続されるワイヤ１０ｓ，１０ｔは、凹部２０ｘ内に配置されているが、凹部２０ｘから突出してもよい。
【００４９】
図４は、第４実施例の照明装置５３を示す。照明装置５３は、基板２１に複数の凹部２１ｘを設け、それぞれに発光素子１０を一つずつ配置している。凹部２１ｘに発光素子１０を配置する基本的な構成は、図１の照明装置５０と同じである。
【００５０】
図５は、第４実施例の照明装置５４を示す。照明装置５４は、基板２２の曲面２２ｓに複数の凹部２２ｘを設け、それぞれに発光素子１０を一つずつ配置している。凹部２２ｘに発光素子１０を配置する基本的な構成は、図１の照明装置５０と同じである。なお、図５（ａ）では、発光素子１０とワイヤ１０ａ，１０ｂの図示を省略している。
【００５１】
凹部２２ｘの底面２２ａは、基板２０の曲面２２ｓに沿って順次傾けて形成されているので、凹部２２ｘに配置された各発光素子１０からの光は、曲面２２ｓの曲率中心付近に集めることができる。
【００５２】
図６及び図７に示すように、凹部に複数の発光素子を配置してもよい。
【００５３】
図６は、第６実施例の照明装置５５を示す。照明装置５５は、基板２３の中心に形成された一つの凹部２３ｘの底面２３ａに、複数の発光素子１４が配置されている。凹部２３ｘに、樹脂モールド２３ｋ等を充填してもよい。凹部２３ｘの側面２３ｂは、図６（ｂ）に示すように、発光素子１４からの光のうち、側方に大きく外れた光を、側面２３ｂにより前方に反射するので、発光素子１４の集光性を高めることができる。なお、図６では、発光素子１４がチップＬＥＤ（パッケージにベアチップが収納されたＬＥＤデバイス）の場合を示している。チップＬＥＤは指向性が高いので、側面２３ｂのみを反射面とすることができる。側面２３ｂは、断面が楕円又は放物線に形成され、反射光を前方に平行に照射又は集光させる、あるいは拡大させることができる。
【００５４】
図７は、第７実施例の照明装置５６を示す。照明装置５６は、凹部２３ｘの側面２３ｂにも発光素子１４を配置している。照明装置５６は、発光素子１４の個数を増し、光量の増加を図ることができる。
【００５５】
なお、図６や図７のような構成を、一つの基板上に複数備えた構成とすることも可能である。
【００５６】
図８は、第８実施例の照明装置５７を示す。照明装置５７は、チップＬＥＤの発光素子１４が基板２４の凹部２４ｘの底面２４ａに配置されている例である。チップＬＥＤ１４は指向性が高いが、その場合でも、前方から大きく外れた光を凹部２４ｘの側面２４ｂで前方に向けて反射することができるので、光量の増加を図ることができる。
【００５７】
図９は、第９実施例の照明装置５８を示す。照明装置５８は、ボンディングレス構造の場合の例である。発光素子１６は、ベアチップの片面にハンダバンプや金バンプのカソード側電極１６ａとアノード側電極１６ｂとを形成したものである。凹部２５ｘの底面２５ａには配線パターン１６ｓ，１６ｔが形成されている。発光素子１６の電極１６ａ，１６ｂと配線パターン１６ｓ，１６ｔとは、熱によるハンダリフローや、加圧した状態での超音波振動などにより、それぞれ接続される。凹部２５ｘには、樹脂をモールドし、発光素子１６を保護し、固定するようにしてもよい。樹脂モールドにより、電気的な配線部分が露出しないようにして、オートクレーブ（高温蒸気中での殺菌処理）に対応できるようにすることが可能である。
【００５８】
上記のレンズや樹脂、その他は、全て組み合わせ可能であることは言うまでもない。発光素子は、１個あるいは複数個設けてもよい。発光素子の種類は何でもよい。
【００５９】
図１０〜図１４に示すように、基板上に反射部材を設けてもよい。
【００６０】
図１０は、第１０実施例の照明装置５９を示す。照明装置５９は、基板２６ｓとカップ状の反射部材２６ｔとにより、支持部材２６を構成している。
【００６１】
反射部材２６ｔには、凹部として貫通穴２６ｘが形成され、貫通穴２６ｘの内面２６ｂは、例えば、素材表面を鏡面に仕上げたり、メッキや蒸着などにより反射膜を成膜することにより、反射面として用いることができるようになっている。
【００６２】
反射部材２６ｔと基板２６ｓとは、別々に形成した後、接合しても、あるいは同時に一体的に形成してもよい。別々に形成する場合には、複雑な形状の貫通穴２６ｘであっても、加工が容易である。反射部材２６ｔの断面（内面２６ｂ）は、楕円又は放物線として形成され、前方に平行光又は集光又は拡大させることができる。
【００６３】
反射部材２６ｔの貫通穴２６ｘの一方の開口からは、基板２６ｓの表面２６ａが露出し、ここに１又は２以上の発光素子１８が固定される。
【００６４】
反射部材２６ｔの貫通穴２６ｘの他方の開口には、レンズ３１が配置され、反射面である内面２６ｂと協働して集光性を高めるようになっている。
【００６５】
もっとも、図１１の第１１実施例の照明装置６０のように、レンズを設けない構成としてもよい。
【００６６】
図１２は、第１２実施例の照明装置６１を示す。照明装置６１は、複数の貫通穴２７ｘが形成された一つの反射板材２７ｔが、基板２７ｓに接合されている。照明装置６１は、部品点数が減り、構成を簡単にすることができる。また、反射部材による多数の凹凸がないので、取り扱いも容易となる。
【００６７】
図１３は、第１３実施例の照明装置６２を示す。照明装置６２は、一つ貫通穴２８ｘが形成された一つの反射板材２８ｔが、基板２８ｓに接合されている。基板２８ｓの表面２８ａ、すなわち凹部の底面には、複数の発光素子１８が配置されている。
【００６８】
図１４は、第１４実施例の照明装置６３を示す。照明装置６３は、一つ貫通穴２８ｘが形成された一つの反射板材２８ｔの開口に、さらにレンズ３２を備えている。これにより、図１４（ｂ）において矢印で示すように、集光性を高めることができる。
【００６９】
以上に説明した照明装置５０〜６３は、そのまま、あるいは適宜に変形して、図１６〜図２６に示すように種々の歯科用ハンドピースに備えることができる。照明装置は、適宜なタイプのものを選択すればよい。この場合、照明装置は、例えば青色ＬＥＤのみを用いるように、単色のＬＥＤのみを用いることも可能であるが、赤、緑、青のＬＥＤを適宜に組み合わせたり、青色ＬＥＤと蛍光体を組み合わせたりして、白色光を照射するものが好ましい。特に、光源として青色ＬＥＤのみを用いる構成や、選択的に青色ＬＥＤのみを発光できる構成にすれば、後述のように、齲触部や歯石部の蛍光または反射光を観察するための励起光等の光源として利用する場合に好適である。また、図１６、図１７等においてＬＥＤを１個使用しているが、複数のＬＥＤを集積してもよい。齲触部や歯石部の蛍光または反射光を観察するための励起光等の光源として利用する場合には、術者が専用の蛍光または反射光観察用のフィルターを設けた眼鏡をかけて観察しても良いし、図１６（ａ）のエアータービンハンドピース７０ａを用いた場合の、図３１に示すエアータービンハンドピース７０ａのように、ハンドピース７０ａに、ＣＣＤ等の撮像素子２４０を配置し、フィルター２４１を介して、撮像された画像を通して観察するようにしてもよい。この場合、図示のようにイメージガイド２４２を用いて、ハンドピース７０ａの、歯に向けやすい箇所に、イメージガイド２４２の入光端２４３ａを、レンズ等の光学系２４５を介して配置し、ハンドピースの基端部あるいは、他の適宜の箇所にイメージガイド２４２の出光端２４４ａを配置し、撮像素子２４０で、適宜の箇所に設けたフィルター２４１を介して、イメージガイド２４２の出向端２４４ａからの画像を撮像するようにしてもよいし、イメージガイド２４２を用いずに、ハンドピース７０ａの、歯に向けやすい箇所に、直接、撮像素子２４０、フィルター２４１、光学系２４５を配置するようにしてもよい。特に、図３１のハンドピース７０ａのように、ライトガイド７４ａの出射端面７５ａの近傍に、イメージガイド２４２の入光端２４３ａまたは直接撮像素子２４０を、好ましくは隣接して配置すれば、齲触部や歯石部を観察しながら患部を診断または治療することも可能であり、エアタービンハンドピースやマイクロモーターハンドピースの場合は、切削の必要な部分のみを切削するのに至便である。
【００７０】
図１６〜図１９、図２９及び図３０は、エアータービンハンドピース又はマイクロモーターハンドピースの例である。
【００７１】
図１６に示したエアータービンハンドピース７０ａ，７０ｂは、ワンタッチジョイント７１により着脱される基部７２の先端中央に照明装置７３を備える。照明装置７３の前方には、ライトガイド７４ａ，７４ｂを備え、エアータービンハンドピースの先端部のタービンヘッド７６まで光を伝達し、バー７８に対して一方向から照明するようになっている。図１６（ａ）のエアータービンハンドピース７０ａは、ライトガイド７４ａの出射端面７５ａが２つに分割されている。図１６（ｂ）のエアータービンハンドピース７０ｂのライトガイド７４ｂは、細長い一つの出射端面７５ｂを有する。照明装置７３には、１つの反射面７３ｍが設けられている。反射面７３ｍは、前方に開口を有し、照明装置７３からの側方光を前方に反射する。
【００７２】
照明装置７３は、発光素子を樹脂モールドした従来のＬＥＤの周囲に図１６に図示する反射面７３ｍを設けたものでもよいし、既に図１等で示した、反射面を備えた発光素子を樹脂モールドした照明装置をそのまま用いてもよい。図１等で示した、反射面を備えた発行素子を樹脂モールドした照明装置をそのまま用いる場合は、図１６に図示するモールドしない反射面７３ｍを省略してもよいし、さらにモールドしない反射面７３ｍを設けたものでもよい。以下に述べられる照明装置７３ｓ，７３ｘ，７３ｚ，８３，８３ａ，８７，８７ｓ，９３，９３ａは全て同様である。
【００７３】
図２９は、基部７２の要部断面図である。基部７２の先端には、取り外し可能なキャップ１４０が設けられ、その内側に照明装置７３を装着する。照明装置７３は、図１６に示した反射面７３ｍを備えている。照明装置７３は、キャップ１４０を取り付けるとスプリング１４４により付勢され、照明装置７３の端子１２２が電気端子１３２に接続するようになっている。電気端子１３２は、電線１３０を介して外部電源に接続され、電源を供給する。基部７２には、給気及び冷却用の空気が流れるエアー管路１１２と、水が流れる水管路１１６とが形成され、不図示のハンドピース本体に、開口部１１３，１１８から空気及び水を供給する。キャップ１４０にはエアー穴１１４が設けられ、エアー管路１１２から照明装置７３の周囲を流れた空気が通り、この空気によって照明装置７３が冷却されるようになっている。照明装置７３からの照明光は、キャップ１４０の先端の貫通穴１４２を通って、不図示のハンドピース本体のライトガイドに入射する。
【００７４】
図１７に示したマイクロモーターハンドピース７０ｓ，７０ｔは、基部７２ｓの中心から離れた位置に照明装置７３ｓを備え、ライトガイド７４ｓ，７４ｔで光を伝達している。図１７（ａ）のマイクロモーターハンドピース７０ｓは、バー７８ｓがマイクロモーターハンドピース本体に対して略直角（コントラアングル型）であり、ライトガイド７４ｓの出射端面７５ｓは図１５と同様に構成される。図１７（ｂ）は、バー７８ｔがマイクロモーターハンドピース本体と略同軸（ストレート型）であり、ライトガイド７４ｔの出射端面７５ｓは、バー７８ｔの先端近傍に向けて光を照射するようになっている。いずれの場合も、照明装置７３ｓには、反射面７３ｍが設けられている。
【００７５】
図３０は、基部７２ｓの要部断面図である。基部７２ｓの先端は、中央部が突出し、その周囲に照明装置７３ｓが装着され、照明装置７３ｓの端子２２２が電気端子２３２に接続され、電源が供給される。基部７２ｓには、給気及び冷却用の空気が流れるエアー管路２１２，２１３と、水が流れる水管路２１６，２１７とが形成され、不図示のハンドピース本体には、開口部２１４，２１８から空気及び水を供給する。エアー管路２１３にはエアー穴２１５が設けられ、エアー管路２１３から供給された空気が照明装置７３ｓの周囲を流れ、照明装置７３ｓを冷却するようになっている。照明装置７３ｓは、図１７にも示した反射面７３ｍを備えている。照明装置７３ｓからの照明光は、不図示のハンドピース本体のライトガイドに入射する。
【００７６】
図１８及び図１９は、ライトガイドをなくしたエアータービンハンドピースのヘッド部である。
【００７７】
図１８（ａ）、（ｃ）に示すように、タービンヘッド７６ｘの下面に２つの照明装置７３ｘを配置している。図１８（ｂ）に示すように、細長い一つの照明装置７３ｙを配置してもよい。いずれも、不図示のバーの先端近傍を一方向から照明する。
【００７８】
図１９は、バーの先端近傍を多方向から全周に渡って照明し、影ができにくいようにした例である。タービンヘッド７６ｚの下面には、不図示のバーの周囲に同心に複数の照明装置７３ｚが配置されている。なお、例えばドーナツ状の基板上に複数の発光素子を配置して一体化した一つの照明装置を備えるようにしてもよい。照明装置７３ｚには、反射面７３ｍが設けられている。
【００７９】
ライトガイドをなくし、照明装置７３ｘ，７３ｚをタービンヘッド７６ｘ，７６ｚに配置すれば、光を先端部まで伝達する機構が不要である。また、照明装置７３ｘ，７３ｚは、光の伝達損を見込んで容量を大きくする必要がない。したがって、タービンを小型化することが容易である。
【００８０】
図２０及び図２１は、スリーウェイシリンジの例である。
【００８１】
図２０のスリーウェイシリンジ８０は、本体８１内に照明装置８３を備え、霧状の水を噴射する先端部８２までライトガイド８４で光を伝達し、噴射方向に照明するようになっている。ライトガイド８４の出射端面８５は、図２０（ｂ）に示すように、中央に設けられたエアー及び水の噴射口の周囲に、リング状に設けられている。照明装置８３には、反射面８３ｍが設けられている。
【００８２】
図２１は、ライトガイドをなくしたスリーウェイシリンジの例である。先端部８２ａに複数の照明装置８３ａが配置されている。なお、ドーナツ状の基板上に複数の発光素子を配置して一体化した一つの照明装置を備えるようにしてもよい。照明装置８３ａには、照明光を前方に導く反射面８３ｍが設けられている。
【００８３】
図２２及び図２３は、スケーラーの例である。
【００８４】
図２２のスケーラー８６は、その本体内に照明装置８７を備え、不図示の超音波振動子又はエアー駆動源を内蔵する歯石をとるためのツールであるスケーラー８９を装着する先端部８６ａまでライトガイド８８で光を伝達し、装着されたツール８９の先端近傍を照明するようになっている。ライトガイド８８の出射端面８８ａは、図２２（ａ）に示すように、中央のツール装着部の周囲に、リング状に設けられている。照明装置８７には、照明光を前方に導く反射面８７ｍが設けられる。
【００８５】
図２３は、ライトガイドをなくしたスケーラーの例である。先端部８６ｂには、複数の照明装置８７ｓが配置されている。各照明装置８７ｓには、照明光を前方に導く反射面８７ｍが設けられる。なお、ドーナツ状の基板上に複数の発光素子を配置して一体化した一つの照明装置を備えるようにしてもよい。
【００８６】
図２４及び図２５は、ライトプローブの例である。
【００８７】
図２４のライトプローブ９０は、本体９１内に照明装置９３を備え、ライトガイド９４で光を伝達し、ライトプローブ９２の先端９５から照明するようになっている。照明装置９３には、照明光を前方に導く反射面９３ｍが設けられる。
【００８８】
図２５は、ライトガイドをなくしたライトプローブ９０ａの例である。ライトプローブ９２の先端部９５には、一つの照明装置９３ａが配置されている。照明装置９３ａには、照明光を前方に導く反射面９３ｍが設けられる。
【００８９】
図２６は、照明付きデンタルミラーの例である。
【００９０】
デンタルミラー９６は、本体９７ａから着脱できる先端部９７ｂに、ミラー９８と照明装置９９を備える。照明装置９９は、矢印で示したように、ミラー９８に向けて光を照射するようになっている。
【００９１】
図２７及び図２８は、エアータービンハンドピースのヘッド部に配置した照明装置に反射面１０１，１０２を形成した例である。
【００９２】
図２７は、図１８に示したタービンヘッド７６ｘにおいて、照明装置７３ｘに、断面略Ｕ字状の反射面１０１を形成した例を示す。反射面１０１は、不図示のバーの先端近傍に集光する適宜形状、例えば放物面又は楕円面とする。反射面１０１は、タービンヘッド７６ｘの筐体そのものに形成している。これにより、反射面を有する別部材を配置するよりも、小型化が容易である。また、反射面１０１での発熱を、筐体を経由して効率よく放熱させることも可能である。
【００９３】
図２８は、図１９に示したタービンヘッド７６ｚにおいて、照明装置７３ｚに、リング状で断面が略Ｕ字形の反射面１０２を形成した例を示す。反射面１０２は、不図示のバーの先端近傍に集光する適宜形状、例えば断面が放物線又は楕円の一部となるようにする。反射面１０２は、タービンヘッド７６ｚの筐体に形成している。これにより、反射面を有する別部材を配置するよりも、小型化が容易である。また、反射面１０２での発熱を、筐体を経由して効率よく放熱させることも可能である。
【００９４】
以上説明したように、歯科用ハンドピースの照明装置は、発光素子の周囲に反射面を備え、従来は利用されていなかった光を前方へ反射し、光を有効に利用することとで、光量の増加を図ることができる。したがって、歯科用ハンドピースの照明装置を、小型化、高輝度化することができる。
【００９５】
なお、本発明は上記実施例に限定されるものではなく、その他種々の態様で実施可能である。
【００９６】
複数の照明装置を備える代わりに、例えば複数の発光素子を１枚の基板上に配置した一つの照明装置を用いてもよい。
【００９７】
本発明の照明装置は、上記実施例以外の歯科用ハンドピース（例えば、口腔灯）にも備えることができる。
【図面の簡単な説明】
【図１】本発明の第１実施例の照明装置の要部平面図及び断面図である。
【図２】第２実施例の照明装置の要部平面図及び断面図である。
【図３】第３実施例の照明装置の平面図及び断面図である。
【図４】第４実施例の照明装置の平面図及び断面図である。
【図５】第５実施例の照明装置の平面図及び断面図である。
【図６】第６実施例の照明装置の平面図及び断面図である。
【図７】第７実施例の照明装置の平面図及び断面図である。
【図８】第８実施例の照明装置の平面図及び断面図である。
【図９】第９実施例の照明装置の平面図及び断面図である。
【図１０】第１０実施例の照明装置の斜視図及び断面図である。
【図１１】第１１実施例の照明装置の斜視図及び断面図である。
【図１２】第１２実施例の照明装置の斜視図及び断面図である。
【図１３】第１３実施例の照明装置の斜視図及び断面図である。
【図１４】第１４実施例の照明装置の斜視図及び断面図である。
【図１５】発光素子からの光の進行の説明図である。
【図１６】エアータービンハンドピースの構成図である。
【図１７】マイクロモーターハンドピースの構成図である。
【図１８】エアータービンハンドピースの構成図である。
【図１９】エアータービンハンドピースの構成図である。
【図２０】スリーウェイシリンジの構成図である。
【図２１】スリーウェイシリンジの構成図である。
【図２２】スケーラーの構成図である。
【図２３】スケーラーの構成図である。
【図２４】ライトプローブの構成図である。
【図２５】ライトプローブの構成図である。
【図２６】照明付きデンタルミラーの構成図である。
【図２７】エアータービンハンドピースの構成図である。
【図２８】エアータービンハンドピースの構成図である。
【図２９】エアータービンハンドピースの要部断面図である。
【図３０】マイクロモーターハンドピースの要部断面図である。
【図３１】エアータービンハンドピースの構成図である。
【符号の説明】
１０，１４，１６，１８  発光素子
２０〜２５  基板（支持体）
２０ａ〜２５ａ  底面（反射面）
２０ｂ〜２５ｂ  側面（反射面）
２０ｘ〜２５ｘ  凹部
２６，２６’，２７，２８  支持体
２６ｂ，２６ｂ’，２７ｂ，２８ｂ  内面（反射面）
２６ｓ，２６ｓ’，２７ｓ，２８ｓ  基板
２６ｔ，２６ｔ’，２７ｔ，２８ｔ  反射部材
２６ｘ，２６ｘ’，２７ｘ，２８ｘ  貫通穴（凹部）
２９  基板
２９ｘ  凹部
３０  ボールレンズ（光学要素）
３１，３２  レンズ（光学要素）
４０〜４５  延長部
４０ａ〜４５ａ  開口
４０ｂ〜４５ｂ  反射面
４０ｘ〜４５ｘ  空間
５０〜６６  照明装置
７０ａ，７０ｂ  エアータービンハンドピース（歯科用ハンドピース）
７０ｓ，７０ｔ  マイクロモーターハンドピース（歯科用ハンドピース）
７３，７３ｓ，７３ｘ，７３ｚ  照明装置
７４ａ，７４ｂ，７４ｓ，７４ｔ  ライトガイド
８０  スリーウェイシリンジ（歯科用ハンドピース）
８３，８３ａ  照明装置
８４  ライトガイド
８６  スケーラー（歯科用ハンドピース）
８７，８７ｓ  照明装置
８８  ライトガイド
９０，９０ａ  プローブ（歯科用ハンドピース）
９３，９３ａ  照明装置
９４  ライトガイド
９６  デンタルミラー（歯科用ハンドピース）
９９  照明装置
【図１】
2004267437.tif 000003
【図２】
2004267437.tif 000004
【図３】
2004267437.tif 000005
【図４】
2004267437.tif 000006
【図５】
2004267437.tif 000007
【図６】
2004267437.tif 000008
【図７】
2004267437.tif 000009
【図８】
2004267437.tif 000010
【図９】
2004267437.tif 000011
【図１０】
2004267437.tif 000012
【図１１】
2004267437.tif 000013
【図１２】
2004267437.tif 000014
【図１３】
2004267437.tif 000015
【図１４】
2004267437.tif 000016
【図１５】
2004267437.tif 000017
【図１６】
2004267437.tif 000018
【図１７】
2004267437.tif 000019
【図１８】
2004267437.tif 000020
【図１９】
2004267437.tif 000021
【図２０】
2004267437.tif 000022
【図２１】
2004267437.tif 000023
【図２２】
2004267437.tif 000024
【図２３】
2004267437.tif 000025
【図２４】
2004267437.tif 000026
【図２５】
2004267437.tif 000027
【図２６】
2004267437.tif 000028
【図２７】
2004267437.tif 000029
【図２８】
2004267437.tif 000030
【図２９】
2004267437.tif 000031
【図３０】
2004267437.tif 000032
【図３１】
2004267437.tif 000033